(57)【特許請求の範囲】
【請求項１】
音波が通過可能な保護カバーを有するヘッドケース内にマイクロホンユニットを収納してなるマイクロホンにおいて、
上記ヘッドケースの外部に配置され、上記マイクロホンユニットの収音軸に対してほぼ垂直な方向から気流を発生させる気流発生手段を備えていることを特徴とするマイクロホン。
【請求項２】
上記気流発生手段に、バイモルフ振動子を用いることを特徴とする請求項１に記載のマイクロホン。
【請求項３】
上記気流発生手段と上記ヘッドケースとの間に、網体からなる風雑音防止用フィルターが配置されることを特徴とする請求項１または２に記載のマイクロホン。
【請求項４】
音波が通過可能な保護カバーを有するヘッドケース内にマイクロホンユニットを収納してなるマイクロホンに用いられるポップ雑音発生防止装置において、
上記ヘッドケースの外部に配置され、上記マイクロホンユニットの収音軸に対してほぼ垂直な方向から気流を発生させるバイモルフ振動子を備えていることを特徴とするポップ雑音発生防止装置。
【発明の詳細な説明】
【技術分野】
【０００１】
本発明は、マイクロホンおよびポップ雑音発生防止装置に関し、さらに詳しく言えば、話者から発せられる破裂音等によってマイクロホンから出力されるポップ雑音を効果的に低減させる技術に関するものである。
【背景技術】
【０００２】
ｐ，ｂ，ｔ，ｄ，ｋ，ｇなどの、一度閉じた唇を瞬間的に開くことにより発音される破裂音には急激な気流の変化が伴うため、マイクロホンのごく近くで話者から破裂音が発せられると、マイクロホンに急激な気流が流れ込みポップ雑音が発生する。このポップ雑音は、特にスタジオなどで音声を収音する際に問題となる。
【０００３】
このポップ雑音を低減させるため、従来では、マイクロホンの前方にストッキングような弾力のあるメッシュ材をリング状の枠に取り付けた「ポップフィルター」なる器具を配置するようにしている。
【０００４】
ポップフィルターによりポップ雑音を小さくするには、破裂音に伴う気流がマイクロホンに加わりにくくなるようにフィルターの密度を高める方法と、マイクロホンとポップフィルターとの間隔を大きくする方法とがある。
【０００５】
しかしながら、フィルターの密度を高めると、その分、音響抵抗値が高くなるため、周波数応答を劣化させるおそれがある。
【０００６】
また、マイクロホンとポップフィルターとの間隔を大きくすると、マイクロホンと音源とが必要以上に離されるため、近接効果の利用に制限ができてしまう（近接効果を利用した音作りに制限が生じてしまう）ので、好ましくない。
【０００７】
これとは別に、特許文献１に記載の発明では、マイクロホンユニットのユニットケース内に、すべての前方音響端子を覆う面形状を有する多孔質性フィルタ素子を収納することにより、ポップ雑音の発生を低減するようにしている。
【０００８】
これによれば、ポップフィルターを用いない分、全体として小型になるが、ポップ雑音をより小さく抑えるには、結局、フィルターの密度を上げる必要があり、周波数応答が劣化するおそれがある。
【０００９】
また、ユニットケース内に多孔質性フィルタ素子を収納する構成であるため、ユニットケース内にその収納空間を確保し、また、多孔質性フィルタ素子の特性を考慮した設計が必要であり、既存のマイクロホンに適用できない、という問題もある。
【特許文献１】特開２００４−２９７７６５号公報
【発明の開示】
【発明が解決しようとする課題】
【００１０】
したがって、本発明の課題は、マイクロホンの周波数応答を劣化させることなく、また、マイクロホン自体に設計変更を要することなく、ポップ雑音を低減できるようにすることにある。
【課題を解決するための手段】
【００１１】
上記課題を解決するため、本発明は、音波が通過可能な保護カバーを有するヘッドケース内にマイクロホンユニットを収納してなるマイクロホンにおいて、上記ヘッドケースの外部に配置され、上記マイクロホンユニットの収音軸に対してほぼ垂直な方向から気流を発生させる気流発生手段を備えていることを特徴としている。
【００１２】
本発明において、請求項２に記載されているように、上記気流発生手段にバイモルフ振動子を用いることが好ましい。
【００１３】
また、請求項３に記載されているように、上記気流発生手段と上記ヘッドケースとの間に、網体からなる風雑音防止用フィルターが配置されることが好ましい。
【００１４】
本発明には、請求項４に記載されているように、音波が通過可能な保護カバーを有するヘッドケース内にマイクロホンユニットを収納してなるマイクロホンに用いられるポップ雑音発生防止装置も含まれ、このポップ雑音発生防止装置は、上記ヘッドケースの外部に配置され、上記マイクロホンユニットの収音軸に対してほぼ垂直な方向から気流を発生させるバイモルフ振動子を備えていることを特徴としている。
【発明の効果】
【００１５】
本発明によれば、ヘッドケースの外部に配置される気流発生手段により、マイクロホンユニットの収音軸に対してほぼ垂直な方向から気流が発生されるため、話者から発せられる破裂音に伴う突発的な気流の少なくとも一部が、気流発生手段による気流により押し流され、マイクロホンユニットにまで到達する破裂音による突発的な気流が少なくなることにより、周波数応答の劣化を招くことなく、ポップ雑音を低減することができる。また、気流発生手段をマイクロホンの外部に配置すればよいので、既存のマイクロホンにも適用できる。
【００１６】
また、気流発生手段にファンを有する送風機が用いられてもよいが、バイモルフ振動子によれば、ファンによる風切り音が発生しないため、余計な雑音の発生を抑えることができる。
【００１７】
また、気流発生手段とヘッドケースとの間に網体からなる風雑音防止用フィルターを配置すれば、気流発生手段による風で発生する風雑音を防止することができる。
【発明を実施するための最良の形態】
【００１８】
次に、図１および図２により、本発明の実施形態について説明するが、本発明はこれに限定されるものではない。図１は本発明の一実施形態を示す模式図，図２は気流発生手段として用いられるバイモルフ振動子を示す模式図である。
【００１９】
図１に示すように、この実施形態におけるマイクロホンは、スタジオなどで使用されるサイドアドレス型（サイドエントリー型）のマイクロホン１０で、例えば黄銅合金より筒状に形成されたマイク筐体１１を備え、マイク筐体１１の上半部分には、音波が通過可能な保護カバーを有するヘッドケース１２が設けられている。
【００２０】
図示しないが、ヘッドケース１２内には、マイクロホンユニット（この例では、コンデンサマイクロホンユニット）が収納されている。サイドアドレス型であることから、振動板は垂直に配置され、したがって、その収音軸Ｘ−Ｘは図１において水平方向である。なお、マイクロホンユニットにリボン型マイクロホンユニットが用いられてもよい。
【００２１】
話者Ｈから発せられる破裂音等に伴う突発的な気流Ｂによるポップ雑音を低減するため、マイクロホン１０は、ヘッドケース１２の外部に配置される気流発生手段（送風手段）２０を備える。
【００２２】
気流発生手段２０は、図示しない支持部材を介して例えばヘッドケース１２よりも高い高さ位置に配置され、そこからマイクロホンユニットの収音軸Ｘ−Ｘに対してほぼ垂直な方向から気流Ａを発生させる。
【００２３】
これによれば、話者Ｈから発せられる破裂音等に伴う突発的な気流Ｂは、少なくともその一部（好ましくは全部）が気流発生手段２０からの気流Ａにより、図１の２点鎖線に示すように、下方に向けて押し流されてマイクロホンユニットに直接的に至らないため、上記突発的な気流Ｂによるポップ雑音が低減される。
【００２４】
気流発生手段２０には、ファンを有する送風機が用いられてもよいが、この種の送風機はファンの風切り音が発生しやすい。そこで、この実施形態では、気流発生手段２０に風切り音等がほとんど発生しないバイモルフ振動子２１を用いている。
【００２５】
この実施形態で用いるバイモルフ振動子２１は、図２に模式的に示すように、圧電セラミックスからなる２枚の振動板２１１，２１２を同じ分極方向に貼り合わせ、それらの一端を基台２１３に片持ち支持してなる振動子で、印加される電圧の極性により、一方は縮まる方向に変位し、他方は伸びる方向に変位する。
【００２６】
したがって、図２のように結線して交流電圧Ｖを印加することにより、先端側が連続的に往復変位するため、上記したようにマイクロホンユニットの収音軸Ｘ−Ｘに対してほぼ垂直な方向から気流Ａを発生させることができる。バイモルフ振動子は電磁ノイズが少なく低騒音であり、印加する電圧も少なくてよい、という利点がある。
【００２７】
バイモルフ振動子２１自体は低騒音であるが、ヘッドケース１２の近傍で気流Ａ（風）が発生するため、その気流Ａにより風雑音が発生することがある。
【００２８】
この風雑音を防止するため、図１に示すように、バイモルフ振動子２１（気流発生手段２０）とヘッドケース１２との間に、網体からなる風雑音防止用フィルター３０を配置することが好ましい。
【００２９】
風雑音防止用フィルター３０には、一例として、線径がφ０．１ｍｍで、メッシュ度が＃１００のＳＵＳメッシュからなる網体３１を枠体３２に取り付けた音響的フィルターが好ましく採用される。
【００３０】
上記実施形態では、気流発生手段２０（好ましくはバイモルフ振動子２１）をヘッドケース１２の外側でそれよりも高い高さ位置に配置しているが、マイクロホンユニットの収音軸Ｘ−Ｘに対してほぼ垂直な方向から気流Ａが得られるのであれば、気流発生手段２０をヘッドケース１２の側方（図１において紙面と直交する位置）もしくはヘッドケース１２よりも下方に配置してもよい。
【００３１】
また、マイクロホン１０は、必ずしもサイドアドレス型（サイドエントリー型）である必要はなく、マイクロホン１０は、手持ち式のコンデンサマイクロホンもしくはダイナミックマイクロホンであってもよい。
【図面の簡単な説明】
【００３２】
【図１】本発明の一実施形態を示す模式図。
【図２】気流発生手段として用いられるバイモルフ振動子を示す模式図。
【符号の説明】
【００３３】
１０  マイクロホン
１１  マイク筐体
１２  ヘッドケース
２０  気流発生手段（送風手段）
２１  バイモルフ振動子
２１１，２１２  振動板
３０  風雑音防止用フィルター
Ａ  気流発生手段による気流
Ｂ  破裂音等による気流
Ｘ  収音軸
【図１】
0004977571.tif 000002
【図２】
0004977571.tif 000003